(57)【要約】【課題】ギター型の電子弦楽器において、ギターらしい操作性でフレット操作子の操作でも効果制御を可能とする。【解決手段】フレット操作子１の下に可動部シート４とフレキシブルシート３を配設し、フレット操作子１の操作で基板２の固定接点２ａを可動接点４ａ１１でフレットオン／フレットオフし、感圧抵抗層３ｂと固定接点２ｂでアフタセンサを得る。感圧抵抗層３ｂを固定接点２ｂに押圧して抵抗値からアフタタッチデータを得、ビブラートやチョーキング等の効果制御をする。アフタタッチデータが大のときにハンマリングオンとして、ハンマリング演奏を行う。フレットオンやアフタセンサの出力について、各弦独立に、複数の出力のうちハイポジション側を優先する優先回路を設ける。【選択図】      図１
2004205995.tif 000002
【特許請求の範囲】
【請求項１】
複数の弦対応部毎の指盤部に対応した部分に各指盤部操作子を有し、該指盤部操作子の押下に対応してこれに対応する指盤部操作子の押下状態を認識する複数の指盤部エレメントを備えた電子楽器であって、
指盤部操作子の押圧力に対応して出力値が変化し、該変化を楽音発生の楽音パラメータに対応して変化させるセンサを設けてなり、
該センサの出力値を、前記弦対応部の各弦独立にハイポジション側の操作を優先させるようにしたハイポジション優先手段を備えたことを特徴とする電子楽器。
【請求項２】
複数の弦対応部毎の指盤部に対応した部分に各指盤部操作子を有し、該指盤部操作子の押下に対応してこれに対応する指盤部操作子の押下状態を認識する複数の指盤部エレメントを備えた電子楽器であって、
指盤部操作子の押圧力に対応して出力値が変化し、該変化を楽音発生の楽音パラメータに対応して変化させるセンサを設けてなり、
該センサの出力値を、前記弦対応部の各弦独立にハイポジション側の操作を優先させるようにしたハイポジション優先手段と、弦トリガ手段とを備え、
前記弦トリガ手段から弦トリガの到来時のみ前記ハイポジション優先手段を有効にすることを特徴とする電子楽器。
【請求項３】
複数の弦対応部毎の指盤部に対応した部分に各指盤部操作子を有し、該指盤部操作子の押下に対応してこれに対応する指盤部操作子の押下状態を認識する複数の指盤部エレメントを備えた電子楽器であって、
指盤部操作子の操作によりオンからオフになるスイッチと、該スイッチのオフの後に指盤部操作子の押圧力に対応して出力値が変化し、該変化を楽音発生の楽音パラメータに対応して変化させるセンサとを備え、
前記弦対応部の各弦独立にハイポジション側の指盤部操作子の前記スイッチによりローポジション側の前記センサの出力を無効にするハイポジション優先手段を有効にすることを特徴とする電子楽器。
【請求項４】
複数の撥弦手段と複数の弦対応部とを有するとともに、該複数の弦対応部の指盤部に対応した部分に各指盤部操作子を有し、該指盤部操作子の押下状態及び／または撥弦手段の操作により発生すべき音高を決定して、決定した音高の楽音を発生する楽音発生手段を備えた電子楽器であって、
指盤部操作子の押圧力に対応して出力値が変化し、該変化を楽音発生の楽音パラメータに対応して変化させるセンサと、
指盤部操作子によるオン時でそのオンの指盤部操作子よりハイポジション側の指盤部操作子の操作がないことを条件に、前記センサの出力値が所定押圧力値以上のとき第１キーオン信号を発生させるとともに、該出力値が特定押圧力以上所定押圧力以下のとき第２キーオン信号を発生させるキーオン発生手段と、
前記第１キーオン信号を発生した場合は該第１キーオン信号独立で、前記第２キーオン信号を発生した場合は上記撥弦手段の弦トリガと該第２キーオン信号のアンド条件にて、それぞれ発音指示信号とする発音指示発生手段と、
を設けてなることを特徴とする電子楽器。
【請求項５】
複数の弦対応部毎の指盤部に対応した部分に各指盤部操作子を有し、該指盤部操作子の押下に対応してこれに対応する指盤部操作子の押下状態を認識する複数の指盤部エレメントを備えた電子楽器であって、
指盤部操作子の移動に対応して出力値が変化し、該変化を楽音発生の楽音パラメータに対応して変化させるセンサを設けてなり、
上記指盤部操作子に対して指盤面と平行な方向に力を加えた場合に力に対応して楽音パラメータを変化させるようにしたことを特徴とする電子楽器。
【請求項６】
前記指盤部操作子の弦対応部並びの低音弦方向への移動にて楽音発生中の楽音パラメータを変化させるようにしたことを特徴とする請求項５記載の電子楽器。
【請求項７】
前記センサは楽音の音高指定と効果制御とを行い得ることを特徴とする請求項１、２、３、４、５、または６記載の電子楽器。
【請求項８】
前記センサは発光手段と受光手段とを備え、該発光手段により演奏ナビゲートを行うとともに、該発光手段の光を前記指盤部操作子を介して受光し、該受光に応じて楽音の効果を制御することを特徴とする請求項１、２、３、４、５、または６記載の電子楽器。
【発明の詳細な説明】
【０００１】
【発明の属する技術分野】
本発明は、弦と指盤部に対応する指盤部操作子の押下状態を認識する複数のフレットセンサ等の指盤部エレメントを備えた電子楽器に関する。
【０００２】
【従来の技術】
従来、例えば特開２００２−１９６７５２号公報に開示された電子弦楽器がある。この電子弦楽器は、ギター型の電子楽器であって、ネック部（棹部）の指盤部操作子を押下して音高を指定するとともに、弦入力部の撥弦操作をトリガとして楽音を発生するものである。そして、この弦入力部の撥弦操作に応じて、弱撥から強撥までのタッチ感を付与した楽音を発生することができる。
【０００３】
【特許文献１】
特開２００２−１９６７５２号公報
【０００４】
【発明が解決しようとする課題】
しかし、上記従来の電子弦楽器においては、ネック部（棹部）における指盤部操作子は該指盤部操作子の位置に対応するフレットのオン／オフを検出する単なるスイッチであるため、指盤部操作子の操作による表現力に乏しいという問題がある。また、このような電子楽器において指盤部操作子で効果制御が可能なものはなかった。
【０００５】
そこで、本発明は、ギターやバイオリン等の指盤に配設した指盤部操作子の操作でも効果制御が可能な電子楽器を提供することを課題とする。
【０００６】
【課題を解決するための手段】
請求項１の電子楽器はハイポジション優先手段を備え、各弦対応部の各弦独立に、複数の指盤部操作子の操作に対してハイポジション側の操作を優先し、該指盤部操作子の押下に対応するセンサの出力値により楽音発生の楽音パラメータを変化させるようにした。「弦対応部」は、ギター等の各々の弦に対応してローポジション側からハイポジション側に並ぶ複数の指盤部操作子の各弦毎の群に対応しており、例えば６弦ギターライクの場合は６つの弦対応部がある。また、以下の説明で弦対応部を区別するとき「弦」という語も使う。指盤部操作子の押下状態を認識する指盤部エレメントは、指盤部操作子の押下を認識するスイッチ（以後下、「フレットスイッチ」ともいう。）と同一のものでもよいし、別物でもよい。
【０００７】
請求項２の電子楽器は、さらに弦トリガ手段を備え、弦トリガ手段から弦トリガの到来時のみ、ハイポジション優先手段を有効にするようにした。弦トリガ手段は、フレットスイッチでもよいし、撥弦手段でもよいし、フレットスイッチと撥弦手段の両方でもよい。
【０００８】
請求項３の電子楽器は、指盤部操作子の操作によりオンからオフになるスイッチを備え、該スイッチのオフによりローポジション側の前記センサの出力を無効にするようにハイポジション優先手段を構成した。
【０００９】
請求項４の電子楽器は、オンの指盤部操作子よりハイポジション側の操作子の操作がないことを条件に、前記センサの出力値が所定押圧力値以上のとき第１キーオン信号により発音指示信号とし、該センサの出力値が特定押圧力以上所定押圧力以下のとき撥弦手段の弦トリガと第２キーオン信号とのアンド条件にて発音指示信号とした。前者によりギター演奏のハンマリング奏法が可能となり、後者で通常演奏が可能となる。
【００１０】
請求項５の電子楽器は、指盤部操作子の移動に対応して出力値が変化し、該変化を楽音発生の楽音パラメータに対応して変化させるセンサを設け、指盤部操作子に対して指盤面と平行な方向に力を加えた場合に力に対応して楽音パラメータを変化させるようにした。指盤年と平行な方向は、棹の長手方向と弦並び方向を含む。特に、請求項６のように、指盤部操作子の弦対応部並びの低音弦方向への移動にて楽音発生中の楽音パラメータを変化させると、ギターにおけるチョーキング奏法を得ることができる。
【００１１】
請求項７の電子楽器のように、センサにより楽音の音高指定と効果制御とを行うようにすることができる。例えば指盤部操作子の押圧力に対応するセンサの出力値が所定の閾値（小さな値）以上となったときにキーオンとして音高を指定することができ、この閾値以上の出力値の変化により効果を制御することができる。
【００１２】
請求項８の電子楽器のように、発光手段で例えば指盤部操作子を発光させて演奏ナビゲート（運指表示）を行い、この発光手段の光を例えば指盤部操作子の下部で反射してこの反射光を受光し、この受光に応じて楽音の効果を制御すると、指盤部操作子の操作で効果が制御できる。また、発光手段を演奏ナビゲートと効果制御とに共用できる。
【００１３】
【発明の実施の形態】
図１３は本発明の実施形態の電子楽器の外観図である。この電子楽器はギター型の電子楽器であり、その外観形状などの概略は特開２００２−１９６７５２号公報のものと同様である。ボディ１００の中央にはギターの第１弦〜第６弦に対応して各弦を模した金属ワイヤ製の６つの疑似弦を有する弦入力部１１０が配設されている。ネック１２０には、先端のヘッド部１２０ａ側から第１〜第１２フレット１３０が順に配設されており、ヘッド部１２０ａと第１フレット１３０との間と、他の隣接する各フレット１３０，１３０の間には、各疑似弦に対応する複数のフレット操作部１０が配設されている。この実施形態におけるフレット操作部１０は請求項の「指盤部」に相当する。また、ネック１２０のボディ１００側には設定スイッチ１４０と表示部１５０が配設されている。弦入力部１１０は疑似弦に対する撥弦操作により、その撥弦強度に応じたピエゾ素子の出力信号を得るものであるが、疑似弦やピエゾ素子の機構についての構成作用は特開２００２−１９６７５２号公報における弦入力部と同様であるので、詳細な説明は省略する。
【００１４】
なお、図１３の矢印▲１▼方向を「弦方向」、矢印▲２▼の方向を「フレット方向」という。すなわち、各フレット操作部１０は、６つの疑似弦の各々に対応してフレット方向に６段、第１〜第１２フレット１３０に対応して弦方向に１２段配設された複数のフレットセンサであり、このフレット操作部１０はネック１２０上に計７２個がマトリクス状に配設されている。そして、各フレット操作部１０には、そのフレット操作部１０のあるフレット方向と弦方向の交差位置に対応するギターにおける各弦各フレット位置を押さえた時の音高と同じキーコードが割当てられている。
【００１５】
（フレット操作部の第１実施例）
図１は図１３のＡ−Ａ矢視図であって、フレット操作部１０の第１実施例の構造を示す側断面図、図２はフレット操作部１０の要部分解斜視図である。前記ネック１２０の外装は、指板となる上ケース１２０Ａと棹となる下ケース１２０Ｂとで構成されている。なお、以下の説明では上ケース１２０Ａ側を「上」、下ケース１２０Ｂ側を「下」とし、第１２フレット１３０側を「ハイポジション側」、ヘッド部１２０ａ側を「ローポジション側」という。フレット操作部１０は、該フレット操作部１０を操作するための樹脂製のフレット操作子１を備えており、このフレット操作子１の摘み部１ａは、弦方向に隣接するフレット１３０，１３０間のほぼ間隔相当の長さを有しフレット方向を弦幅程度の矩形状とする角の丸い短冊状（長尺状）の形状となっている。なお、この実施形態のフレット操作子１は請求項の「指盤部操作子」に相当する。そして、この摘み部１ａは上ケース１２０Ａに形成された長形の透孔１２０Ａ１から外側に突出されている。下ケース１２０Ｂの内側にはスイッチ回路を形成した基板２が配設されている。基板２の上にはポリエチレン−テレフタレート（ＰＥＴ）製のフレキシブルシート３が配設され、さらにフレキシブルシート３の上にはラバー製の可動部シート４が配設されている。
【００１６】
基板２上には一つのフレット操作部１０に対応して２つの固定接点２ａ，２ｂが弦方向に離間して形成され、該固定接点２ａ，２ｂの中間位置にチップ状ＬＥＤ２ｃが配設されている。フレット１３０の下方に対応した基板２の上面には、レジスト層等からなるスペーサ部Ｐが設けられている。フレット操作子１は赤色光に対する透光性を有するとともに、可動部シート４は透明であり、フレット操作子１はＬＥＤ２ｃの消灯時には外光を一部散乱して青みがかった色に見え、ＬＥＤ２ｃの発光によって赤く光って見える。このＬＥＤ２ｃの発光すなわちフレット操作子１の発光により和音表示や押弦表示を行うことができる。
【００１７】
フレキシブルシート３には、ハイポジション側の固定接点２ａとＬＥＤ２ｃとを可動部シート４側に臨ませるように開口３ａが形成されている。また、フレキシブルシート３の基板２側の面でローポジション側の固定接点２ｂに対向する位置には、感圧抵抗層３ｂが形成されている。なお、固定接点２ａ，２ｂは、それぞれ２つの端子を接近してパターン形成されたカーボン導体である。また、感圧抵抗層３ｂは絶縁体とカーボンを混合したバインダを練って塗布し固めたものである。
【００１８】
可動部シート４はフレット操作子１の下に当接する可動部４ａと該可動部４ａを支えるスカート部４ｂとを有している。可動部４ａには、ハイポジション側の固定接点２ａに対向する位置で下方に膨出した可動接点部４ａ１と、フレキシブルシート３の感圧抵抗層３ｂの位置（ローポジション側の固定接点２ｂに対向する位置）で下方に膨出したアクチュエータ部４ａ２とが形成されている。そして、可動接点部４ａ１の下面にはカーボン導体層からなる可動接点４ａ１１が形成されている。
【００１９】
基板２、フレキシブルシート３及び可動部シート４は、それぞれが第１〜第１２の全フレットにわたって配設された長尺の部材であり、上記の各構成要素を７２個の各々のフレット操作部１０に対応して備えている。
【００２０】
以上の構成により、フレット操作部１０は次のように作動する。フレット操作子１を押下することにより、スカート部４ｂの弾性力に抗して可動部４ａが押し下げられ、可動接点部４ａ１とアクチュエータ部４ａ２が基板２側に移動する。そして、可動接点部４ａ１の可動接点４ａ１１はフレキシブルシート３の開口３ａを介して固定接点２ａに接触し、固定接点２ａが導通してフレット操作部１０のオン状態（以後、「フレットオン」ともいう。）が検出される。なお、フレット操作子１の押圧力をなくすとスカート部４ｂの弾性回復力により、可動部４ａ及びフレット操作子１が図１の状態に戻り、オフ状態（以後、「フレットオフ」ともいう。）となる。
【００２１】
また、フレット操作部１０の押圧により、アクチュエータ部４ａ２はフレキシブルシート３を介して感圧抵抗層３ｂを固定接点２ｂに押圧する。このとき、感圧抵抗層３ｂは固定接点２ｂの両端子間を導通するが、この両端子間の抵抗値は感圧抵抗層３ｂに対する押圧力に応じたものとなる。すなわち、フレット操作子１に対する押圧力に応じて固定接点２ｂの両端子間の抵抗値が変化し、この抵抗値に応じた電圧信号がアフタタッチデータとして検出される。すなわち、感圧抵抗層３ｂ及び固定接点２ｂはフレット操作子１の押圧力に対応して出力値が変化するアフタセンサを構成している。
【００２２】
また、この感圧抵抗層３ｂ及び固定接点２ｂは、押圧力に対応してその出力が変化するセンシング手段でもあり、この感圧抵抗層３ｂと固定接点２ｂとの位置関係がフレキシブルシート３及び基板２により一定に保持される。すなわち、フレキシブルシート３を介して感圧抵抗層３ｂと固定接点２ｂとを押圧するので、センシング手段としての検出精度が安定する。また、感圧抵抗層３ｂとアクチュエータ部４ａ２との間にフレキシブルシート３が介在するので、感圧抵抗層３ｂをアクチュエータ部４ａ２の駆動から保護することができる。
【００２３】
なお、感圧抵抗層３ｂに対する押圧力と抵抗値の関係は感圧抵抗層３ｂのカーボンの量や厚み等により適宜設定できるものであり、例えば１０ｇ重以下の押圧力で抵抗値が１Ｍオーム以上となり、１ｋｇ重程度の押圧力で抵抗値が５〜１０オーム（数オーム）以下となるように設定するとよい。
【００２４】
また、可動接点４ａ１１と固定接点２ａはフレットのオン／オフを検出するフットスイッチであり、この一方のスイッチと他方の上記アフタセンサ（感圧抵抗層３ｂ及び固定接点２ｂ）とが、同一のフレット操作子１の押下に連動してセンシングするように構成されている。また、上記フレットスイッチと上記アフタセンサとを１つのアフタセンサで構成し、フレットの軽い押下（抵抗値比較的大）時にその値をスレッショルド値として検出し、それをフレットスイッチオンとして検出するとともに、フレットの押下力が増すにつれてその抵抗値を利用したスイッチ機能付きアフタセンサとして構成してもよい。図１、図２のようにスイッチとセンサとを分離構成することにより、操作子毎（ロット毎）のタッチ力に対するふぞろいを、すくなくすることができる。
【００２５】
以上のようにフレット操作部１０の操作により、フレットオンとアフタセンサ出力が得られ、このフレットオンにより発生するキーコードにより楽音の音高が指定され、アフタセンサ出力（電圧信号）に基づいて各種の効果制御が行われる。特に、指をフレット操作子１のハイポジション側の位置（可動接点部４ａ１の上部）にしてフレットオンの操作をし、その位置から押圧力をそのままにして指をローポジション側に戻すような感覚でフレット操作子１上を移動させると、演奏操作をしながら自然にアフタタッチの操作を行うことできる。あるいは、フレット操作子１上の任意の位置で押圧位置はそのままで指押圧力を変化させて、フレットスイッチのオン／オフ操作とアフタタッチの操作とを行うようにしてもよい。次に、フレットオンとアフタセンサ出力に基づく効果制御及び楽音発生について説明する。
【００２６】
（回路の第１実施例）
図３は第１実施例の電子楽器の要部回路ブロック図である。弦種別ＫＣ発生回路１１には、７２個のフレット操作部１０の各固定接点２ａがオンのときにハイレベル、オフのときにローレベルとなるフレット信号ＦＳＫＯＮが７２ライン分入力される。弦種別ＫＣ発生回路１１は、各弦毎に、フレットオンとなっているフレットのキーコードの内の最高音のキーコードＫＣ(1) 〜ＫＣ(6) を選択的に出力し、これらの各弦毎のキーコードＫＣ(1) 〜ＫＣ(6) は音源ブロック１２に入力される。なお、括弧付き数字“(1) 〜(6) ”は第１弦〜第６弦にそれぞれ対応することを示し、弦を特定しないときは“(1) 〜(6) ”を省略する。
【００２７】
ＥＰ検出ＥＧ発生部１３は各弦に対応して設けられており、それぞれ前記弦入力部１１０におけるピエゾ素子の出力が入力される。ＥＰ検出ＥＧ発生部１３は、ピエゾ素子の出力波形に対応するエンベロープ信号ＥＧをＫＯＮ検出部１４とＡ／Ｄ変換回路１５に出力する。なお、エンベロープ信号ＥＧは急峻に立ち上がって徐々に減衰する電圧信号であり、その最大ピークはピエゾ素子の出力波形の最大値で制御される。また、エンベロープ信号ＥＧは１弦〜６弦の各弦に対応して生ギターの弦の振動エンベロープ態様を模した信号となっている。
【００２８】
ＫＯＮ検出部１４は、エンベロープ信号ＥＧのレベルが所定の閾値ＴＨ（ほぼ０に近い小さな値）以上となると発音トリガ信号としてキーオン信号ＴＫＯＮを出力し、このキーオン信号ＴＫＯＮはエンベロープ信号ＥＧのレベルが閾値ＴＨ以上である間はハイレベルとなる。そして、キーオン信号ＴＫＯＮは弦種別アフタタッチセンサ出力手段１６に入力される。また、Ａ／Ｄ変換回路１５はエンベロープ信号ＥＧをデジタルデータに変換してタッチデータＴＣＨとして音源ブロック１２に出力する。
【００２９】
図４に基づいて後術詳細に説明するが、弦種別アフタタッチセンサ出力手段１６は各フレット操作部１０のアフタセンサ（固定接点２ｂと感圧抵抗層３ｂ）で得られる電圧信号をアフタタッチデータＡＦ(1) 〜ＡＦ(6) に変換し、セレクタ１７に出力する。このとき、弦種別アフタタッチセンサ出力手段１６は、フレット信号ＦＳＫＯＮに基づいて各弦毎にハイポジション側（フレットオンの内の最高音高のもの）のアフタタッチデータＡＦを優先して出力する。
【００３０】
セレクタ１７は、アフタタッチデータＡＦ(1) 〜ＡＦ(6) の音源ブロック１２に対する出力先を選択するものであり、Ａモードを選択することにより音源ブロック１２はアフタタッチデータＡＦ(1) 〜ＡＦ(6) に基づいてビブラートの制御を行い、Ｂモードを選択することによりアフタタッチデータＡＦ(1) 〜ＡＦ(6) に基づいてピッチの変化（チョーキング奏法等）を制御する。また、Ｃモードを選択すると効果の制御を行わない。なお、これらのモードは本体の設定スイッチ１４０で選択する。
【００３１】
音源ブロック１２は第１弦〜第６弦に対応する６系統の音源を備えており、各弦毎に、弦種別ＫＣ発生回路１１から出力されるキーコードＫＣ(1) 〜ＫＣ(6) に応じたピッチの楽音波形信号を生成するとともに、上記アフタタッチデータＡＦ(1) 〜ＡＦ(6) に基づいて楽音パラメータを変化させ、効果制御を行う。また、Ａ／Ｄ変換回路１５からのタッチデータＴＣＨ(1) 〜ＴＣＨ(6) に応じた音量制御を行う。そして、アンプやスピーカ等からなるサウンドシステムで楽音が発生される。なお、この実施形態では、音源ブロック１２は、タッチデータＴＣＨ(1) 〜ＴＣＨ(6) のレベルが“０”のときは楽音が発生されないように構成されており、弦トリガやフレットオンに対応する楽音の発生や消音は、キーオン信号でタッチデータＴＣＨ(1) 〜ＴＣＨ(6) を出力制御することにより制御する。
【００３２】
図４は弦種別アフタタッチセンサ出力手段１６の回路図であり、この回路は各弦用のアフタタッチ検出部１６Ａで構成されている。同図では第１弦用のみの回路を詳細に図示してあるが、第２〜第６弦用の回路も第１弦用と同様である。アフタタッチ検出部１６Ａは、各フレット操作部１０の感圧抵抗層３ｂに一定電圧Ｖを印加し、感度設定用の可変抵抗器Ｒ１と感圧抵抗層３ｂとで電圧Ｖの分圧を電圧信号として検出する。この電圧信号はＴＨ以上検出回路１６１に入力され、ＴＨ以上検出回路１６１は、入力される電圧信号から予め設定されている閾値ＴＨ以上となる電圧からなるセンサ信号ＦＶを出力する。なお、この閾値ＴＨは電圧信号のノイズ等をカットする程度のほぼ０に近い小さな値であるが、このＴＨ以上検出回路１６１は無くても可能である。以上のようにして、１弦の１２フレット分のセンサ信号ＦＶが優先回路１６２に入力される。
【００３３】
優先回路１６２は図５に基づいて後術詳細に説明するが、センサ信号ＦＶのうち、フレット信号ＦＳＫＯＮに基づいてフレットオンに対応するセンサ信号ＦＶのうちハイポジション側の操作（フレットオンの内の最高音高についての操作）に対応するセンサ信号ＦＶを優先させて出力する。そして、このセンサ信号ＦＶは、前記ＫＯＮ検出部１４から出力されるキーオン信号ＴＫＯＮで開くアナログゲート１６３を介してＡ／Ｄ変換回路１６４に出力される。Ａ／Ｄ変換回路１５４はセンサ信号ＦＶをアフタタッチデータＡＦに変換し、前記セレクタ１７（図３）に出力する。このように、弦トリガ（キーオン信号ＴＫＯＮがハイレベル）が発生している場合、各弦毎に、フレットオンとなっているフレット操作部１０のうち最高音のフレット操作部１０におけるセンサ信号ＦＶにより、各弦に対応するアフタタッチデータＡＦ(1) 〜ＡＦ(6) が出力される。
【００３４】
図５は優先回路１６２の回路図である。この回路は、選択対象となる１弦分の１２ラインのセンサ信号ＦＶが入力されるセレクタ１６２ａと、第１〜第１１フレットに対応するＡＮＤゲート１６２ｂを備えている。セレクタ１６２ａには、第１２フレットに対応するフレット信号ＦＳＫＯＮと、ＡＮＤゲート１６２ｂを介して入力される第１１〜第１フレットに対応するフレット信号ＦＳＫＯＮが、それぞれセレクト信号として入力される。各ＡＮＤゲート１６２ｂには、これに対応するフレットよりハイポジション側の全てのフレット信号ＦＳＫＯＮがＮＯＴ回路及びＮＯＲ回路によりその論理和の反転信号として入力される。したがって、各ＡＮＤゲート１６２ｂは、これに対応するフレットよりハイポジション側（同一弦）のフレットが一つでもフレットオンとなっていると、ゲートが閉じられる。また、ハイポジション側のフレット全てがフレットオフとなっているとゲートが開く。
【００３５】
これにより、セレクタ１６２ａに入力するセレクト信号は、同一弦でフレットオンとなっているフレットのフレット信号ＦＳＫＯＮの内、最高音の（ハイポジション側の）フレット信号に対応するものが、ハイレベルとなる。このセレクト信号とセンサ信号ＦＶは同一フレットのもの同士で対応付けられており、これによりセレクタ１６２ａから最高音のフレット信号に対応するセンサ信号ＦＶが出力される。そして、このセンサ信号ＦＶが前述のようにアフタタッチデータＡＦとなる。
【００３６】
以上のように、第１実施例ではフレットオン（ＦＳＫＯＮがハイレベル）が発生していてこれに対応する弦の弦トリガ（ＴＫＯＮがハイレベル）が発生していることを条件に、楽音が発生される。また、このときフレット操作子１を押す力を加減することにより、ビブラートの制御や、チョーキング奏法等の効果を付与することができる。また、同一弦対応部において複数のフレット操作部１０が操作された場合でも、ハイポジション側のフレットオンが有効になるので、生ギターにおけるフレット操作に対応した発音機構と同様になり、演奏操作が容易になる。
【００３７】
なお、上記の実施例では、弦種別ＫＣ発生回路１１（図３）に入力する信号、優先回路１６２（図４）においてハイポジション側を選択制御する信号として、フレット信号ＦＳＫＯＮを利用しているが、このフレット信号ＦＳＫＯＮの代わりに別の信号を利用してもよい。例えば、図４のＴＨ以上検出回路１６１に破線の矢印で示したように、このＴＨ以上検出回路１６１でＴＨ以上を検出したときにハイレベルの信号を出力するようにして、この信号を弦種別ＫＣ発生回路１１でのキーコードの発生に利用したり、優先回路１６２でＦＳＫオンの代わりに利用してもよい。このようにすると、フレット操作部１０において前記フレットオンを検出する固定接点２ａと可動接点４ａ１１（フレットスイッチ）が不要となり、構造を簡単にすることができる。
【００３８】
（回路の第２実施例）
図６及び図７は第２実施例の電子楽器の要部回路ブロック図であり、この第２実施例はハンマリング奏法を可能にしたものである。なお、図６及び図７において第１実施例（図３，図４）と同様な回路要素には同符号を付記してその詳細な説明は省略する。図６において、弦種別アフタタッチセンサ出力手段１６′は、フレット操作部１０のアフタセンサの出力から得たアフタタッチデータＡＦ(1) 〜ＡＦ(6) をセレクタ１７に出力することと、フレット信号ＦＳＫＯＮに基づいて各弦毎にハイポジション側のアフタタッチデータＡＦを優先して出力することは第１実施例の弦種別アフタタッチセンサ出力手段１６と同様である。
【００３９】
この第２実施例の弦種別アフタタッチセンサ出力手段１６′は、各フレット操作部１０のアフタセンサで得られる電圧信号からハンマリングオンを検出し、ハンマリングキーオン信号ＨＫＯＮを弦種別ＫＣ発生回路１１′に出力する。弦種別ＫＣ発生回路１１′は、各弦毎に、フレットオンとなっているフレットとハンマリングオンとなっているフレットのキーコードの内の最高音のキーコードＫＣ(1) 〜ＫＣ(6) を選択的に出力し、これらの各弦毎のキーコードＫＣ(1) 〜ＫＣ(6) が音源ブロック１２に入力される。また、弦種別アフタタッチセンサ出力手段１６′は、各弦毎に、その弦でハンマリングオンが検出されると、ハンマリング奏法用のプリセットエンベロープ信号ＰＥＧと弦キーオン信号ＳＫＯＮを出力する。
【００４０】
図７は弦種別アフタタッチセンサ出力手段１６′の回路図である。同図では第１弦用のみの詳細に図示してあるが、第２〜第６弦用の回路も第１弦用と同様である。アフタタッチ検出部１６Ａ′のＴＨ以上検出回路１６１′は第１実施例のＴＨ以上検出回路１６１と同様に各フレット操作部１０のアフタセンサの出力に基づいて閾値ＴＨ以上のセンサ信号ＦＶを優先回路１６２に出力するが、このセンサ信号ＦＶはハンマリング検出部１６Ｂ′にも出力される。また、この実施例ではＴＨ以上検出回路１６１′は閾値ＴＨ以上の検出時にリセット信号Ｒを出力する。ハンマリング検出部１６Ｂ′にはセンサ信号ＦＶのレベルを比較する所定の設定値Ｄ(1) が入力され、各フレット操作部１０に対応するセンサ信号ＦＶが各比較器２１により設定値Ｄ(1) と比較される。そして、各比較器２１はセンサ信号ＦＶが設定値Ｄ(1) 以上のときハイレベルの信号を優先回路２２に出力する。
【００４１】
第２〜第６弦のハンマリング検出部１６Ｂ′にも設定値Ｄ(1) 〜Ｄ(6) がそれぞれ設定されている。この設定値Ｄ(1) 〜Ｄ(6) は生ギターの弦の太さや張力に対応して各弦毎に設定されており、ＴＨ以上Ｋ回路１６１′における閾値ＴＨに比較してかなり大きな値（ＴＨ≪Ｄ）と設定されている。すなわち、フレット操作子１に対する押圧力を通常の操作よりも強くしたときにのみハンマリングオンとなるようにしてる。
【００４２】
優先回路２２は前掲の図５の一点鎖線で囲った部分と同じ回路であり、各比較器２１の出力信号は、この図５のＳＦＫＯＮに対応する１２のラインにハイポジションからローポジションまで順番を合わせて入力される。そして、図５のセレクト信号に対応するラインからハンマリングキーオン信号ＨＫＯＮを出力する。すなわち、優先回路２２はハンマリングのあったフレットの内、最高音高に対応するフレットについてのみハンマリングキーオン信号ＨＫＯＮを出力する。このハンマリングキーオン信号ＨＫＯＮは前記弦種別ＫＣ発生回路１１′にも出力されるが、１２ライン分のハンマリングキーオン信号ＨＫＯＮの論理和が前記弦キーオン信号ＳＫＯＮとして出力される。また、このＨＫＯＮの論理和はプリセットＥＧ発生部２３に入力され、プリセットＥＧ発生部２３は、ハンマリング奏法用のプリセットエンベロープ信号ＰＥＧを出力する。なお、各弦対応のハンマリング検出部１６Ｂ′が出力するプリセットエンベロープ信号ＰＥＧ(1) 〜ＰＥＧ(6) は１弦〜６弦の各弦に対応して生ギターのハンマリング演奏時の振動態様を模したデジタル信号となっている。
【００４３】
図６において、弦種別アフタタッチセンサ出力手段１６′から出力されるプリセットエンベロープ信号ＰＥＧはセレクタ１８に入力され、弦キーオン信号ＳＫＯＮはＡＮＤゲート１９に入力される。セレクタ１８とＡＮＤゲート１９は各弦に対応して設けられており、セレクタ１８は、ＡＮＤゲート１９の出力がローレベルのときＡ／Ｄ変換回路１５から出力されるタッチデータＴＣＨを選択出力し、ＡＮＤゲート１９の出力がハイレベルのときプリセットエンベロープ信号ＰＥＧを選択出力する。
【００４４】
ＡＮＤゲート１９の一方の入力端には弦キーオン信号ＳＫＯＮが入力され、他方の入力端にはＫＯＮ検出部１４からのキーオン信号ＴＫＯＮが反転されて入力される。すなわち、ＫＯＮ検出部１４が弦トリガを検出しているとき（キーオン信号ＴＫＯＮがハイレベル）はＡＮＤゲート１９は閉じられ、弦キーオン信号ＳＫＯＮがハイ／ローいずれの場合も、ＡＮＤゲート１９の出力はローレベルとなってセレクタ１８はＡ／Ｄ変換回路１５の出力を選択する。そして、ＫＯＮ検出部１４が弦トリガを検出しないで（キーオン信号ＴＫＯＮがローレベル）弦キーオン信号ＳＫＯＮがハイレベルのときは、セレクタ１８はプリセットエンベロープ信号ＰＥＧを出力する。
【００４５】
すなわち、各弦において、弦トリガがあった場合はＡ／Ｄ変換回路１５から出力されるタッチデータＴＣＨにより通常演奏の楽音が発生され、さらにフレット操作子１にＤ(1) 〜Ｄ(6) 相当以下の押圧力を加えることでアフタタッチによる効果を付与することもできる。また、弦トリガの無い弦において、ハンマリング操作をするとその弦対応のプリセットエンベロープ信号に基づいてハンマリング演奏の楽音が発生する。さらに、同一弦対応部において複数のフレット操作部１０でハンマリング操作された場合でも、ハイポジション側のハンマリングオンが有効になるので、生ギターの演奏に対応して演奏操作が容易になる。
【００４６】
なお、上記の構成は請求項４の具体例となっている。すなわち、ハンマリングオンによる弦キーオン信号ＳＫＯＮが第１キーオン信号に対応し、弦種別アフタタッチセンサ出力手段１６′（図６）あるいは優先回路１６２（図７）に入力されるフレット信号ＦＳＫＯＮが第２キーオン信号に対応し、ＴＫＯＮが弦トリガに対応する。そして、図６において、弦キーオン信号ＳＫＯＮによりセレクタ１８からプリセットエンベロープ信号ＰＥＧが出力されて楽音が発生されることが、弦キーオン信号が独立で発音指示信号となることに対応する。また、図６において、ＫＯＮ検出部１４からのキーオン信号ＴＫＯＮが入力されてセレクタ１８からＡ／Ｄ変換回路１５の出力が音源ブロック１２に入力されるとともに、ＦＳＫＯＮが弦種別ＫＣ発生回路１１′に入力されて楽音が発生されることが、弦トリガと該第２キーオン信号のアンド条件にて発音指示信号となることに対応する。
【００４７】
（第３実施例）
図８は第３実施例の電子楽器におけるフレット操作部３０の要部分解斜視図であるる。この実施形態におけるフレット操作部３０は請求項の「指盤部」に相当する。フレット操作部３０は樹脂製のフレット操作子３１を備えており、このフレット操作子３１の摘み部３１ａは前記実施例の摘み部１ａと略同様な形状をしている。この実施形態のフレット操作子３１は請求項の「指盤部操作子」に相当する。摘み部３１ａの両側にはフランジ部３１ｂが形成されており、上ケース３２にはフランジ部３１ｂが嵌合する段部３２ａが形成され、この段部３２ａの内側に長形の透孔３２ｂが形成されている。そして、フレット操作子３１は摘み部３１ａを透孔３２ｂから外側に突出させて、フランジ部３１ｂを段部３２ａに嵌合して取付られる。フレット操作子３１の両側のフランジ部３１ｂにはカーボン導体等により接点３１ｃ，３１ｃが形成され、上ケース３２の段部３２ａには上記接点３１ｃ，３１ｃに対向するように透孔３２ｂの両側にカーボン導体等により固定接点３２ｃ，３２ｃが形成されている。そして、この固定接点３２ｃ，３２ｃは上ケース３２の裏側に形成されたカーボンや銅箔等のラインに並列に接続されている。
【００４８】
フレット操作子３１の下部には基板３３が配設され、この基板３３とフレット操作子３１との間には、フレット方向に６弦分相当の長尺でラバー製の可動部材３４，３５が配設されている。各可動部材３４，３５は両側にスカート部３４ａ，３５ａを有し、ハイポジション側の可動部材３４には、スカート部３４ａの間にカーボン導体等の可動接点３４ｂが形成されている。一方、ローポジション側の可動部材３５には、スカート部３５ａの間に前記実施例の感圧抵抗層３ｂと同様な感圧抵抗層３５ｂが形成されている。さらに、基板３３の可動部材３４，３５に対向する部分にはカーボン導体等の固定接点３３ａ，３３ｂが形成されている。また、この固定接点３３ａ，３３ｂの中間位置にチップ状ＬＥＤ３３ｃが配設されている。なお、可動部材３４と３５は弦方向の幅が若干異なっており、感圧抵抗層３５ｂの弦方向の幅は可動接点３４ｂの幅より広くなり、さらに感圧抵抗層３５ｂは下側に僅かに膨らんだ形状とされ、これにより押圧力に応じて感圧抵抗層３５ｂが固定接点３３ｂに接触する面積が変化するので、検出精度が高まる。
【００４９】
以上の構成により、フレット操作子３１の下面と基板３３との間で可動部材３４，３５のスカート部３４ａ，３５ａが作用する弾性力により、フレット操作子３１はフランジ部３１ｂを段部３２ａ内に嵌合した状態で上ケース３２側に付勢される。したがって、フランジ部３１ｂに形成された接点３１ｃ，３１ｃが段部３２ａの固定接点３２ｃ，３２ｃに接触して導通した状態となる。また、フレット操作子３１を押下するとこのフレット操作子３１の接点３１ｃ，３１ｃと固定接点３２ｃ，３２ｃが離間し、固定接点３２ｃ，３２ｃの導通が断たれる。すなわち接点３１ｃ，３１ｃと固定接点３２ｃ，３２ｃはフレット操作子３１の操作によりオンからオフになるスイッチＳＷを構成している。
【００５０】
また、フレット操作子３１の押下により、可動部材３４の可動接点３４ｂが固定接点３３ａを導通してフレットオンとなる。さらに可動部材３５の感圧抵抗層３５ｂが固定接点３３ｂに押圧され、この感圧抵抗層３５ｂに対する押圧力に応じた抵抗値と電圧信号から、前記実施例と同様にアフタタッチデータが検出される。すなわち、可動接点３４ｂ及び固定接点３３ａがフレットスイッチを構成し、感圧抵抗層３５ｂ及び固定接点３３ｂがアフタセンサを構成している。
【００５１】
図９は第３実施例の電子楽器の要部回路ブロック図であり、同図では第１弦用のみの詳細に図示してあるが、第２〜第６弦用の回路も第１弦用と同様である。この実施例は、図８のフレット操作子３１の接点３１ｃ，３１ｃと固定接点３２ｃ，３２ｃが構成するスイッチＳＷにより優先回路を構成したものである。図９の１弦分において、第１〜第１２フレットに対応する各スイッチＳＷは全て直列に接続されている。可変抵抗器Ｒ１と感圧抵抗層３５ｂとで電圧Ｖの分圧を電圧信号として検出することは前記実施例と同様である。この電圧信号の出力ラインＬ１は前記可動部材３４の可動接点３４ｂでオン／オフする固定接点３３ａに接続される。
【００５２】
第１２フレットの固定接点３３ａは共通ラインＬ２を介してアナログゲート３６に接続されているが、第１〜第１１フレットにおいては、固定接点３３ａは当該フレットにおけるスイッチＳＷと当該フレットより一つハイポジション側のスイッチＳＷとの間に接続されている。すなわち、第１〜第１１フレットにおける出力ラインＬ１はそのフレットよりハイポジション側の全スイッチＳＷを介して共通ラインＬ２に接続されている。これにより、同一弦において複数のフレットオンが発生しても、ローポジション側のフレットセンサの出力はハイポジション側のフレット操作子のスイッチＳＷにより無効になり、最もハイポジション側にあるフレットの電圧信号のみがアナログゲート３６に供給される。
【００５３】
なお、アナログゲート３６は弦トリガによるキーオン信号ＴＫＯＮにより導通し、電圧信号がＡ／Ｄ変換回路３７でアフタタッチデータＡＦに変換されて出力される。このアフタタッチデータＡＦによる効果制御等は前記実施例と同様である。また、電圧信号をアナログゲート３６を通さないで、閾値Ｄ以上を検出してハンマリング演奏を可能にしてもよい。
【００５４】
このように、簡単なスイッチのみでハイポジション優先手段を構成しているので、回路が簡単になる。なお、フレット操作子の操作によりオンからオフになるスイッチＳＷとして、特許２９０３９３１号公報に開示されているようなスイッチを用いてもよい。
【００５５】
以上の各実施例例では感圧抵抗層３ｂ，３５ｂの抵抗値及び電圧信号からアフタタッチデータを得るようにしているが、例えばＬＥＤ２ｃ，３３ｃ等の近傍に受光素子を設け、フレット操作子１，３１の裏面でＬＥＤ２ｃ，３３ｃの発光を反射させ、これを受光素子で受光してその受光量に応じてアフタタッチデータを得るようにしてもよい。
【００５６】
図１０は第４実施例の電子楽器におけるフレット操作部４０の要部分解斜視図（図１０(A) 及び断面図（図１０(B) ，(C) ）である。なお、図１０(B) は図１０(A) のＢ−Ｂ矢視図、図１０(C) は図１０(A) のＣ−Ｃ矢視図である。この実施形態におけるフレット操作部４０は請求項の「指盤部」に相当する。このフレット操作部４０は、樹脂製のフレット操作子４１を備えており、このフレット操作子４１の摘み部４１ａは前記実施例の摘み部１ａと略同様な形状をしている。この実施形態のフレット操作子４１は請求項の「指盤部操作子」に相当する。摘み部４１ａの両側には両側を曲面状にされたフランジ部４１ｂが形成されている。図１０(B) に示したように、上ケース４２にはフランジ部４１ｂが填るボックス部４２ａが形成され、このボックス部４２ａの上に長形の透孔４２ｂが形成されている。そして、フレット操作子４１は摘み部４１ａを透孔４２ｂから外側に突出させて、フランジ部４１ｂをボックス部４２ａに嵌合して取付けられる。上ケース４２の透孔４２ｂの周囲はテーパー状になっており、これによってフレット操作子４１はフレット方向に揺動（移動）が可能になっている。
【００５７】
フレット操作子４１の下には上基板４３が配設されている。なお、フレット操作子４１と上基板４３との間にはアフタセンサ操作時のフレット操作子４１の押下領域を吸収する弾性体４６，４６が配設されている。図１０(C) に示したように、フレット操作子４１の裏面中央にはアクチュエータ部４１ｃが形成されており、このアクチュエータ４１ｃは上基板４３に形成された開口４３ａから上基板４３の裏面に突出するように配設される。上基板４３の下には薄い黄銅板等の弾性を有する板バネ４４が配設されており、この板バネ４４は上基板４３のボス部４３ｂに係合することで固定されて僅かに「へ」字状に曲げられている。板バネ４４の中央にはプレス加工により、開口４４ａ，４４ａが形成されるとともに、この開口４４ａ，４４ａの間には接点部４４ｂが形成され、さらにこの接点部４４ｂより上に直線状に突出した突条部４４ｃ，４４ｃが形成されている。
【００５８】
板バネ４４の下には下基板４５が配設され、下基板４５には板バネ４４の中央部及びアクチュエータ部４１ｃに対向する位置に、シリコンゴム（絶縁材）等により出っ張るようにクッション部４５ａが形成されている。そして、このクッション部４５ａの上に固定接点４５ｂが形成されている。また、固定接点４５ｂの近傍にはチップ状ＬＥＤ４７が配設されるとともに、このＬＥＤ４７の近傍には、ＬＥＤ４７からフレット方向（低音弦と反対方向）に離間した位置に第１受光素子４８ａが配設され、弦方向（ハイポジション方向）に離間した位置に第２受光素子４８ｂが配設されている。
【００５９】
図１０(C) に示したように、アクチュエータ部４１ｃの下端には２つの突出部４１ｃ１，４１ｃ２が形成され、フレット操作子４１を押下すると、この突出部４１ｃ１，４１ｃ２の先端が板バネ４４の開口４４ａ，４４ａを通過し、この突出部４１ｃ１，４１ｃ２の間の凹部４１ｃ３が板バネ４４の接点部４４ｂを押下する。これにより接点部４４ｂが固定接点４５ｂを導通し、フレットオンが検出される。すなわち、接点部４４ｂ及び固定接点４５ｂがフレットスイッチを構成している。
【００６０】
また、ＬＥＤ４７側の突出部４１ｃ１の端面はハーフミラー状の半透過面となっており、ＬＥＤ４７からの光の一部は半透過面を透過してフレット操作子４１を発光させ、ＬＥＤ４７からの光の残りの一部は半透過面で反射されて第１受光素子４８ａまたは第２受光素子４８ｂに入射可能になっている。そして、フレット操作子４１の操作態様により、第１受光素子４８ａまたは第２受光素子４８ｂの受光する光量に応じて効果制御を行う。すなわち、ＬＥＤ４７、第１受光素子４８ａ及び第２受光素子４８ｂがアフタセンサを構成している。
【００６１】
図１１は効果制御の例を示す図であり、図では角度等を誇張して図示してある。図１１(A) はフレット操作子４１の摘み部４１ａの上端をフレット方向の低音弦方向への移動した場合を示しており、ＬＥＤ４７の光の反射光が第１受光素子４８ａで受光される。これにより、この第１受光素子による受光量に応じて楽音のピッチを半音程度高くしてチョーキング奏法等の効果を付与する。図１１(B) はフレット操作子４１の摘み部４１ａを弦方向のローポジション側へ移動（傾斜）した場合を示しており、ＬＥＤ４７の光の反射光が第２受光素子４８ｂで受光される。これにより、この第２受光素子による受光量に応じてビブラートの効果を付与する。
【００６２】
なお、この実施例でも前記各実施例におけると同ようなハイポジション優先手段を適用しており、同一弦で複数のフレット操作部４０でフレットオンが発生しているときはハイポジション側のフレットオン及び効果制御を有効にする。また、上記の第１，第２受光素子の受光量により効果を制御する場合も、受光量に応じたアフタタッチデータを生成て前記各実施例と同様に制御する。なお、ＬＥＤ４７は、演奏情報により演奏ナビゲートするために発光させる場合でもよいし、演奏者の操作によるフレットオンが検出されたときに発光させるような場合でもよい。
【００６３】
図１２は第５実施例の電子楽器の要部ブロック図であり、前記各実施例におけるアフタセンサによる効果制御と自動演奏とを行うものである。フレットスイッチ５１は、可動接点４ａ１１と固定接点２ａ（第１，２実施例）、可動接点３４ｂと固定接点３３ａ（第３実施例）、接点部４４ｂと固定接点４５ｂ（第４実施例）などに対応している。アフタセンサ５２は、感圧抵抗層３ｂと固定接点２ｂ（第１，２実施例）、感圧抵抗層３５ｂと固定接点３３ｂ（第３実施例）、ＬＥＤ４７、第１受光素子４８ａ及び第２受光素子４８ｂ（第４実施例）などに対応してる。弦トリガ手段５３は弦入力部１１０に対応している。
【００６４】
自動演奏ブロック５４は演奏情報を記憶しており、演奏情報からキーコードを発生するとＯＲ回路５５からアフタセンサ５２にＬＥＤ点灯指示を出し、ＬＥＤを点灯する。これにより、自動演奏情報に応じた演奏ナビゲートを行う。あるいは、フレットスイッチ５１で通常演奏におけるフレットオンが発生（ハイポジション優先）するとともに弦トリガ手段５３で弦トリガが発生すると、音源ブロック５６にキーコードが出力されて発音される。あるいは、アフタセンサ５２でハンマリング奏法におけるハンマリングオンが発生（ハイポジション優先）するとと、音源ブロック５６にキーコードが出力されて発音される。これら、音源ブロック５６で発音するとき、ＯＲ回路５５からアフタセンサ５２にＬＥＤ点灯指示を出す。さらに、アフタセンサ５２のアフタタッチデータに基づいて音源ブロック５６でビブラートやピッチのセントシフトなどの各種の効果制御を行う。
【００６５】
自動演奏時に、ビブラートやピッチのセントずれ等の効果を付与するデータが自動演奏データにない状態で演奏する場合がある。このような場合でも、自動演奏に合わせてフレット操作子が発光するので、これをたよりにそのフレット操作子を操作して効果の付与ができる。この効果制御させた楽音は、自動演奏の楽音とは別チャンネルの楽音で発生させるようにしてもよいし、同チャンネルで別音色で発生させてもよいし、別チャンネルで同音色あるいは別音色にして発生させるようにしてもよい。第２実施例では右手による弦トリガが無くてもハンマリング奏法にて左手だけで演奏することができる。また、音源ブロック５６内でオクターブのピッチ変更と音色変更の制御を行い、自動演奏の演奏ナビゲート付きでデュエット演奏を行えるようにしてもよい。
【００６６】
実施形態では感圧抵抗層３ｂをフレキシブルシート３側に形成するようにしているが、基板２側（固定接点２ｂ上）に感圧抵抗層を形成してもよいし、フレキシブルシート３と基板２との両方に感圧抵抗層を形成するようにしてもよい。さらに、フレキシブルシート３を用いるのが好ましいが、このフレキシブルシート３をなくし、アクチュエータ部４ａ２の下面と基板２との何れか一方に感圧抵抗層を形成するか、また、両方に形成するようにしてもよい。
【００６７】
実施形態ではアフタタッチデータに応じた効果の切替制御等をハードウエアで実現しているが、マイクロコンピュータとソフトウエアで構成してもよい。
【００６８】
また、実施形態では、弦トリガを弦入力部１１０の疑似弦の撥弦により得るようにしているが、スイッチ等の操作子で弦トリガを入力するものでもい。
【００６９】
また、ハイポジション優先手段は実施例のものに限らず、他の方法でもよい、例えばフレットオンやハンマリングオンが発生しているキーコードを取り込み、ソフトウエア制御により同一弦内のキーコードでハイポジションのものを判定するようにしてもよい。
【００７０】
また、実施例ではアフタセンサとして感圧抵抗層による押圧力の変化を検出するものや、光の受光量を検出するものの例を示したが、例えば磁気変化検出センサ等によるフレット操作子の動きを検出するものなど他の方法でもよい。
【００７１】
以上の実施形態では、フレット１３０を有するギター型の電子楽器について説明したが、バイオリンやチェロなどフレットのない楽器の指盤に指盤部操作子を配置したような電子楽器でもよい。
【００７２】
【発明の効果】
請求項１の電子楽器によれば、ハイポジション優先手段により、各弦独立に複数の指盤部操作子の操作に対してハイポジション側の操作を優先し、そのセンサの出力値で楽音発生の楽音パラメータを変化させるようにしたので、ギター等の弦楽器の発音形態に対応して指盤部操作子の操作でも効果制御が可能となる。
【００７３】
請求項２の電子楽器によれば、弦トリガ手段から弦トリガの到来時のみ、ハイポジション優先手段を有効にするようにしたので、ギター等の弦楽器の発音形態に対応して指盤部操作子の操作でも効果制御が可能となる。
【００７４】
請求項３の電子楽器によれば、指盤部操作子の操作によりオンからオフになるスイッチを備え、該スイッチのオフによりローポジション側のセンサの出力を無効にするようにハイポジション優先手段を構成するようにしたので、請求項１と同様な効果が得られるとともに、ハイポジション優先手段の回路が簡単になる。
【００７５】
請求項４の電子楽器によれば、オンの指盤部操作子よりハイポジション側の操作子の操作がないことを条件に、前記センサの出力値が所定押圧力値以上のとき第１キーオン信号により発音指示信号とし、該センサの出力値が特定押圧力以上所定押圧力以下のとき撥弦手段の弦トリガと第２キーオン信号とのアンド条件にて発音指示信号としたので、請求項１と同様な効果に加えて、ギター演奏のハンマリング奏法が可能となるとともに、通常演奏も可能となる。
【００７６】
請求項５の電子楽器によれば、指盤部操作子に対して指盤面と平行な方向に力を加えた場合に力に対応して楽音パラメータを変化させるようにしたので、ギターにおけるビブラート奏法やチョーキング奏法を得ることができる。
【００７７】
請求項６の電子楽器によれば、指盤部操作子の弦対応部並びの低音弦方向への移動にて楽音発生中の楽音パラメータを変化させるようにしたので、ギターにおける奏法と同様な操作でチョーキング奏法を得ることができる。
【００７８】
請求項７の電子楽器によれば、請求項１と同様な効果が得られるとともに、フレットセンサにより楽音の音高指定と効果制御とを行うことができる。
【００７９】
請求項８の電子楽器によれば、請求項１と同様な効果が得られるとともに、発光手段により、演奏ナビゲート（運指表示）を行うことができるとともに、この発光手段の光の受光に応じて楽音の効果を制御することで、フレット操作子の操作で効果が制御でき、さらに発光手段を演奏ナビゲートと効果制御とに共用できる。
【図面の簡単な説明】
【図１】本発明の実施形態におけるフレット操作部の構造を示す側断面図である。
【図２】同フレット操作部の要部分解斜視図である。
【図３】本発明の第１実施例の電子楽器の要部回路ブロック図である。
【図４】本発明の第１実施例における弦種別アフタタッチセンサ出力手段の回路図である。
【図５】本発明の第１実施例および第２実施例における優先回路の回路図である。
【図６】本発明の第２実施例の電子楽器の要部回路ブロック図である。
【図７】本発明の第２実施例における弦種別アフタタッチセンサ出力手段の詳細を示す回路図である。
【図８】本発明の第３実施例の電子楽器におけるフレット操作部の要部分解斜視図であるる。
【図９】本発明の第３実施例の電子楽器の要部回路ブロック図である。
【図１０】本発明の第４実施例の電子楽器におけるフレット操作部の要部分解斜視図及び断面図である。
【図１１】本発明の第４実施例における効果制御の例を示す図である。
【図１２】本発明の第５実施例の電子楽器の要部ブロック図である。
【図１３】本発明の実施形態の電子楽器の外観図である。
【符号の説明】
１…フレット操作子（指盤部操作子）、２…基板、２ｂ…固定接点（アフタセンサ）、３ｂ…感圧抵抗層（アフタセンサ）、１０…フレット操作部（指盤部）、１６２…優先回路（ハイポジション優先手段）
【図１】
2004205995.tif 000003
【図２】
2004205995.tif 000004
【図３】
2004205995.tif 000005
【図４】
2004205995.tif 000006
【図５】
2004205995.tif 000007
【図６】
2004205995.tif 000008
【図７】
2004205995.tif 000009
【図８】
2004205995.tif 000010
【図９】
2004205995.tif 000011
【図１０】
2004205995.tif 000012
【図１１】
2004205995.tif 000013
【図１２】
2004205995.tif 000014
【図１３】
2004205995.tif 000015